(57)【要約】【課題】一般的なストレッチャを用いた上で、被検体の移動の際の作業者の労力や手間を軽減することができる被検体移動補助具を提供すること。【解決手段】本発明に係る被検体移動補助具１は、補助ストレッチャ１０と空気の注出入可能な空気マットレス８０とからなり、補助ストレッチャ１０は、第１枠部材２１、２１および第２枠部材２２、２２からなる矩形状の枠体２０と、第２枠部材２２、２２間に掛け渡されたブリッジ部材５８と、を含むベッド部６０を備え、第２枠部材２２、２２の少なくともいずれか一方が枠体２０から取り外し可能に組み付けられ、空気マットレス８０は、マットレス表面部８１、８２の少なくともいずれか一方に、補助ストレッチャ１０のブリッジ部材５８を収容可能なブリッジ部材収容部８８が形成され、補助ストレッチャ１０は、ブリッジ部材５８が、空気マットレス８０のブリッジ部材収容部８８に係合可能に支持される。【選択図】  図１
2008237503.tif 000002
【特許請求の範囲】
【請求項１】
ストレッチャ上に載置可能な補助ストレッチャと空気の注出入可能な空気マットレスとからなる被検体移動補助具において、
前記補助ストレッチャは、対向配置された一対の第１枠部材および前記第１枠部材間に掛け渡され対向配置された一対の第２枠部材からなる矩形状の枠体と、この枠体の一対の第２枠部材間に掛け渡されたブリッジ部材と、を含むベッド部を備え、前記第２枠部材の少なくともいずれか一方が前記枠体から取り外し可能に組み付けられ、
前記空気マットレスは、マットレス表面部の少なくともいずれか一方に、前記補助ストレッチャのブリッジ部材を収容可能なブリッジ部材収容部が形成され、
前記補助ストレッチャは、ブリッジ部材が、前記空気マットレスのブリッジ部材収容部に係合可能に支持されたことを特徴とする被検体移動補助具。
【請求項２】
ストレッチャ上に載置可能な補助ストレッチャと空気の注出入可能な空気マットレスとからなる被検体移動補助具において、
前記補助ストレッチャは、対向配置された一対の第１枠部材および前記第１枠部材間に掛け渡され対向配置された一対の第２枠部材からなる矩形状の枠体と、この枠体の一対の第２枠部材間に掛け渡されたブリッジ部材と、を含むベッド部を備え、前記第２枠部材の少なくともいずれか一方が前記枠体から取り外し可能に組み付けられ、
前記空気マットレスは、対向するマットレス側面部を貫通するとともに前記補助ストレッチャのブリッジ部材を収容可能な挿通孔を有し、
前記補助ストレッチャは、ブリッジ部材が、前記空気マットレスの挿通孔に挿入可能に着脱支持されたことを特徴とする被検体移動補助具。
【請求項３】
前記第２枠部材の少なくとも一方は、前記一対の第１枠部材の端部間に取り外し可能に掛け渡され、
前記取り外し可能な第２枠部材の基部および先端部が、一対の第１枠部材の各自由端部に装着されて矩形状の枠体を構成することを特徴とする請求項１または２に記載の被検体移動補助具。
【請求項４】
前記取り外し可能な第２枠部材の基部を、前記第１枠部材の自由端部に支持する支持機構を備え、
この支持機構は、
前記第１枠部材の一方の自由端部に設けられた摺動溝に挿通されるスライダと、
前記取り外し可能な第２枠部材の基部に設けられ、前記スライダが挿通する挿通孔とからなることを特徴とする請求項３記載の被検体移動補助具。
【請求項５】
前記スライダは、前記第１枠部材の摺動溝内および前記取り外し可能な第２枠部材の挿通孔内に挿通される軸部と、この軸部の一方の端部に設けられ前記軸部より幅広な板状のストッパ片部とを備え、
前記第１枠部材の摺動溝は、前記スライダのストッパ片部が前記軸部に対して所定の回動角度にあるときに摺動可能になるように形成された通路部と、この通路部の一方の端部に形成され前記スライダのストッパ片部が回動可能な形状に形成された回動室部とを備えることを特徴とする請求項４記載の被検体移動補助具。
【請求項６】
前記第２枠部材の少なくとも一方は、先端部同士が係止されて前記一対の第１枠部材の端部間に取り外し可能に掛け渡される第１の枠構成部材と第２の枠構成部材とからなり、
前記第１の枠構成部材は、基部が、前記第１枠部材の一方の自由端部に装着され、先端部が、前記第２の枠構成部材の先端部と係止可能になっているとともに、
前記第２の枠構成部材は、基部が、前記第１枠部材の一方の自由端部に対向する他方の自由端部に装着され、先端部が、前記第１の枠構成部材の先端部と係止可能になっていることを特徴とする請求項１または２に記載の被検体移動補助具。
【請求項７】
前記第１および第２の枠構成部材の基部を、前記第１枠部材の一方および他方の自由端部に支持する支持機構を備え、
この支持機構は、
前記第１枠部材の一方および他方の自由端部に設けられた摺動溝に挿通されるスライダと、
前記第１および第２の枠構成部材の基部に設けられ、前記スライダが挿通する挿通孔とからなることを特徴とする請求項６に記載の被検体移動補助具。
【請求項８】
前記スライダは、前記第１枠部材の摺動溝内および前記枠構成部材の挿通孔内に挿通される軸部と、この軸部の一方の端部に設けられ前記軸部より幅広な板状のストッパ片部とを備え、
前記第１枠部材の摺動溝は、前記スライダのストッパ片部が前記軸部に対して所定の回動角度にあるときに摺動可能になるように形成された通路部と、この通路部の一方の端部に形成され前記スライダのストッパ片部が回動可能な形状に形成された回動室部とを備えることを特徴とする請求項７に記載の被検体移動補助具。
【請求項９】
前記取り外し可能な第２枠部材は、前記ブリッジ部材の端部を挿入可能なブリッジ部材挿入部が設けられることを特徴とする請求項１または２に記載の被検体移動補助具。
【請求項１０】
前記補助ストレッチャは、
前記ベッド部を昇降自在に支持する昇降支持部と、
この昇降支持部の底部に設けられ、前記ベッド部および昇降支持部を水平方向に移動させる移動機構部とをさらに備えることを特徴とする請求項１または２に記載の被検体移動補助具。
【請求項１１】
前記補助ストレッチャの昇降支持部は、パンタグラフジャッキであることを特徴とする請求項１０に記載の被検体移動補助具。
【請求項１２】
前記補助ストレッチャの昇降支持部は、スクリュージャッキであることを特徴とする請求項１０に記載の被検体移動補助具。
【請求項１３】
前記補助ストレッチャの移動機構部は、キャスターであることを特徴とする請求項１０に記載の被検体移動補助具。
【請求項１４】
前記補助ストレッチャの移動機構部は、クローラであることを特徴とする請求項１０に記載の被検体移動補助具。
【請求項１５】
前記補助ストレッチャは、ブリッジ部材が、離間して平行に配置される複数本の棒状体からなることを特徴とする請求項１または２に記載の被検体移動補助具。
【請求項１６】
前記棒状体は、円柱状、多角柱状、半円柱状、楕円柱状および長円柱状のいずれかであることを特徴とする請求項１５に記載の被検体移動補助具。
【請求項１７】
前記ベッド部のブリッジ部材は、板状体であることを特徴とする請求項１または２に記載の被検体移動補助具。
【請求項１８】
前記空気マットレスは、前記マットレス表面部が波形に形成され、
前記空気マットレスのブリッジ部材収容部は、マットレス表面部の波形の底部であることを特徴とする請求項１または２に記載の被検体移動補助具。
【請求項１９】
前記空気マットレスは、前記マットレス表面部の波形の断面形状が、コルゲート状、三角波状、角波状、台形波状および連続した弧状のいずれかであることを特徴とする請求項１８載の被検体移動補助具。
【請求項２０】
前記空気マットレスは、前記マットレス表面部の波形の山高が５ｃｍ〜２０ｃｍであることを特徴とする請求項１８に記載の被検体移動補助具。
【請求項２１】
前記空気マットレスは、前記マットレス表面部の波形のピッチが１０ｃｍ〜３０ｃｍであることを特徴とする請求項１８に記載の被検体移動補助具。
【請求項２２】
前記空気マットレスは、ポリ塩化ビニルシートおよび極薄紙のいずれかで形成されることを特徴とする請求項１または２に記載の被検体移動補助具。
【請求項２３】
マットレス表面部にブリッジ部材収容部が形成された空気マットレスを、医用画像診断装置の天板の上に載せるステップと、
一対の第１枠部材および一対の第２枠部材からなる矩形の枠体とこの枠体に掛け渡されるブリッジ部材とを有する補助ストレッチャを、ストレッチャの上に載せた後、前記補助ストレッチャの上に被検体を載せるステップと、
被検体を載せた補助ストレッチャを、前記医用画像診断装置の天板上の前記空気マットレスの上に移動させた後、前記補助ストレッチャのブリッジ部材が前記空気マットレスのブリッジ部材収容部に重ね合わされるように配置するステップと、
前記補助ストレッチャの第２枠部材の一方を枠体から取り外して、前記補助ストレッチャのブリッジ部材を前記空気マットレスと前記被検体との間から引き抜くステップとを有することを特徴とする被検体移動補助具の使用方法。
【請求項２４】
マットレス表面部にブリッジ部材収容部が形成された空気マットレスを、ストレッチャの上に載せた後、前記空気マットレスの上に被検体を載せるステップと、
一対の第１枠部材および一対の第２枠部材からなる矩形の枠体とこの枠体に掛け渡されるブリッジ部材とを有する補助ストレッチャを用い、この補助ストレッチャの第２枠部材の一方を枠体から取り外して、前記ブリッジ部材を前記空気マットレスの下に挿入するステップと、
前記取り外した第２枠部材を前記一対の第１枠部材に再び掛け渡して補助ストレッチャを構成するステップと、
前記補助ストレッチャの上に前記空気マットレスおよび被検体を載せて、この補助ストレッチャを医用画像診断装置の天板の上に移動させるステップと、
前記補助ストレッチャの第２枠部材の一方を枠体から取り外して、前記補助ストレッチャのブリッジ部材を前記空気マットレスの下から引き抜くステップとを有することを特徴とする被検体移動補助具の使用方法。
【請求項２５】
対向するマットレス側面部を貫通する挿通孔が形成された空気マットレスを、ストレッチャの上に載せた後、前記空気マットレスの上に被検体を載せるステップと、
一対の第１枠部材および一対の第２枠部材からなる矩形の枠体とこの枠体に掛け渡されるブリッジ部材とを有する補助ストレッチャを用い、この補助ストレッチャの第２枠部材の一方を枠体から取り外して、前記ブリッジ部材を前記空気マットレスの挿通孔に挿入するステップと、
前記取り外した第２枠部材を前記一対の第１枠部材に再び掛け渡して補助ストレッチャを構成するステップと、
前記補助ストレッチャを前記空気マットレスおよび被検体とともに医用画像診断装置の天板の上に移動させるステップと、
前記補助ストレッチャの第２枠部材の一方を枠体から取り外して、前記補助ストレッチャのブリッジ部材を前記空気マットレスの挿通孔から引き抜くステップとを有することを特徴とする被検体移動補助具の使用方法。
【発明の詳細な説明】
【技術分野】
【０００１】
本発明は、患者等の被検体の移動に用いられる被検体移動補助具およびこの使用方法に関し、特に、被検体を、医用画像診断装置での診断等のためにストレッチャから医用画像診断装置の天板の上に移動させる被検体移動補助具およびこの使用方法に関する。
【背景技術】
【０００２】
患者等の被検体をＸ線ＣＴ装置等の医用画像診断装置で撮影するためには、被検体をＸ線等の透過が可能な材質で作製された医用画像診断装置の天板の上に移動させる必要がある。被検体を医用画像診断装置の天板の上に移動させる方法としては、従来、医用画像診断装置の天板近くに被検体を載せたストレッチャを配置し、看護師等の作業者が被検体を抱えてストレッチャから医用画像診断装置の天板に載せかえる方法が用いられてきた。
【０００３】
しかし、被検体を抱えて移動させる方法は、作業者に体力的な負担を与える。これに対し、特開平７−１４８１５６号公報（特許文献１）に被検体移動機構が開示されている。
【０００４】
特許文献１に開示される被検体移動機構は、被検体を寝載するストレッチャおよび寝台で共用の天板と、ストレッチャおよび寝台の天板への装着部の高さを揃える高さ調整機構と、この高さの揃ったストレッチャおよび寝台の間の天板移動を案内する天板案内機構と、この移動された天板を所定位置で位置決め固定する天板固定機構とを具備する。
【０００５】
特許文献１に開示される被検体移動機構によれば、ストレッチャの上に、ストレッチャの天板および医用画像診断装置の寝台の天板として共用される共用天板が設けられ、この共用天板を用いて被検体をストレッチャから医用画像診断装置の寝台に移動させるため、被検体の移動の際の看護師等の作業者の労力、手間を軽減するとともに、被検体への負担を軽減することができる。
【特許文献１】特開平７−１４８１５６号公報
【発明の開示】
【発明が解決しようとする課題】
【０００６】
特許文献１に開示される被検体移動機構は、ストレッチャに共用天板が取り付けられるため、ストレッチャが大きくなるとともに複雑な構造になるという問題があった。
【０００７】
本発明は、上記事情に鑑みてなされたものであり、一般的なストレッチャを用いた上で、被検体の移動の際の作業者の労力や手間を軽減することができる被検体移動補助具を提供することを目的とする。
【課題を解決するための手段】
【０００８】
本発明に係る被検体移動補助具は、上記課題を解決するものであり、ストレッチャ上に載置可能な補助ストレッチャと空気の注出入可能な空気マットレスとからなる被検体移動補助具において、前記補助ストレッチャは、対向配置された一対の第１枠部材および前記第１枠部材間に掛け渡され対向配置された一対の第２枠部材からなる矩形状の枠体と、この枠体の一対の第２枠部材間に掛け渡されたブリッジ部材と、を含むベッド部を備え、前記第２枠部材の少なくともいずれか一方が前記枠体から取り外し可能に組み付けられ、前記空気マットレスは、マットレス表面部の少なくともいずれか一方に、前記補助ストレッチャのブリッジ部材を収容可能なブリッジ部材収容部が形成され、前記補助ストレッチャは、ブリッジ部材が、前記空気マットレスのブリッジ部材収容部に係合可能に支持されたことを特徴とする。
【０００９】
また、本発明に係る被検体移動補助具は、上記課題を解決するものであり、ストレッチャ上に載置可能な補助ストレッチャと空気の注出入可能な空気マットレスとからなる被検体移動補助具において、前記補助ストレッチャは、対向配置された一対の第１枠部材および前記第１枠部材間に掛け渡され対向配置された一対の第２枠部材からなる矩形状の枠体と、この枠体の一対の第２枠部材間に掛け渡されたブリッジ部材と、を含むベッド部を備え、前記第２枠部材の少なくともいずれか一方が前記枠体から取り外し可能に組み付けられ、前記空気マットレスは、対向するマットレス側面部を貫通するとともに前記補助ストレッチャのブリッジ部材を収容可能な挿通孔を有し、前記補助ストレッチャは、ブリッジ部材が、前記空気マットレスの挿通孔に挿入可能に着脱支持されたことを特徴とする。
【００１０】
さらに、本発明に係る被検体移動補助具の使用方法は、上記課題を解決するものであり、マットレス表面部にブリッジ部材収容部が形成された空気マットレスを、医用画像診断装置の天板の上に載せるステップと、一対の第１枠部材および一対の第２枠部材からなる矩形の枠体とこの枠体に掛け渡されるブリッジ部材とを有する補助ストレッチャを、ストレッチャの上に載せた後、前記補助ストレッチャの上に被検体を載せるステップと、被検体を載せた補助ストレッチャを、前記医用画像診断装置の天板上の前記空気マットレスの上に移動させた後、前記補助ストレッチャのブリッジ部材が前記空気マットレスのブリッジ部材収容部に重ね合わされるように配置するステップと、前記補助ストレッチャの第２枠部材の一方を枠体から取り外して、前記補助ストレッチャのブリッジ部材を前記空気マットレスと前記被検体との間から引き抜くステップとを有することを特徴とする。
【００１１】
また、本発明に係る被検体移動補助具の使用方法は、上記課題を解決するものであり、マットレス表面部にブリッジ部材収容部が形成された空気マットレスを、ストレッチャの上に載せた後、前記空気マットレスの上に被検体を載せるステップと、一対の第１枠部材および一対の第２枠部材からなる矩形の枠体とこの枠体に掛け渡されるブリッジ部材とを有する補助ストレッチャを用い、この補助ストレッチャの第２枠部材の一方を枠体から取り外して、前記ブリッジ部材を前記空気マットレスの下に挿入するステップと、前記取り外した第２枠部材を前記一対の第１枠部材に再び掛け渡して補助ストレッチャを構成するステップと、前記補助ストレッチャの上に前記空気マットレスおよび被検体を載せて、この補助ストレッチャを医用画像診断装置の天板の上に移動させるステップと、前記補助ストレッチャの第２枠部材の一方を枠体から取り外して、前記補助ストレッチャのブリッジ部材を前記空気マットレスの下から引き抜くステップとを有することを特徴とする。
【００１２】
さらに、本発明に係る被検体移動補助具の使用方法は、上記課題を解決するものであり、対向するマットレス側面部を貫通する挿通孔が形成された空気マットレスを、ストレッチャの上に載せた後、前記空気マットレスの上に被検体を載せるステップと、一対の第１枠部材および一対の第２枠部材からなる矩形の枠体とこの枠体に掛け渡されるブリッジ部材とを有する補助ストレッチャを用い、この補助ストレッチャの第２枠部材の一方を枠体から取り外して、前記ブリッジ部材を前記空気マットレスの挿通孔に挿入するステップと、前記取り外した第２枠部材を前記一対の第１枠部材に再び掛け渡して補助ストレッチャを構成するステップと、前記補助ストレッチャを前記空気マットレスおよび被検体とともに医用画像診断装置の天板の上に移動させるステップと、前記補助ストレッチャの第２枠部材の一方を枠体から取り外して、前記補助ストレッチャのブリッジ部材を前記空気マットレスの挿通孔から引き抜くステップとを有することを特徴とする。
【発明の効果】
【００１３】
本発明によれば、医用画像診断装置での診断等のために、被検体を、ストレッチャから医用画像診断装置の天板の上に移動させることが容易である。
【発明を実施するための最良の形態】
【００１４】
本発明に係る被検体移動補助具の実施の形態について添付図面を参照して説明する。
【００１５】
［第１の実施形態］
図１は、本発明に係る被検体移動補助具１を示す斜視図である。
【００１６】
被検体移動補助具１は、補助ストレッチャ１０と空気マットレス８０とからなる。
【００１７】
（補助ストレッチャ）
補助ストレッチャ１０は、患者等の被検体を載せて移動可能な図示しない通常のストレッチャの上、およびＸ線ＣＴ装置等の医用画像診断装置の天板の上に載置可能になっている。
【００１８】
補助ストレッチャ１０は、矩形状の枠体２０と、枠体２０に掛け渡されるブリッジ部材５８とを含むベッド部６０を備える。
【００１９】
枠体２０は、対向配置された一対の第１枠部材２１ａ、２１ｂと、第１枠部材２１ａ、２１ｂ間に掛け渡され対向配置された一対の第２枠部材２２ａ、２２ｂとからなる。
【００２０】
枠体２０は、一対の第２枠部材２２ａ、２２ｂのうち、第２枠部材２２ｂが、枠体２０の第１枠部材２１ａ、２１ｂ間からの取り外しが可能な第２枠部材になっている。
【００２１】
取り外し可能な第２枠部材２２ｂは、第１枠部材２１ａの一方の端部２７と、一方の端部２７に対向する第１枠部材２１ｂの他方の端部２８との間に掛け渡されている。
【００２２】
枠体２０の第２枠部材２２ａと、取り外し可能な第２枠部材２２ｂとの間には、ブリッジ部材５８が掛け渡される。
【００２３】
ブリッジ部材５８としては、円柱状の棒状体が複数本用いられる。ブリッジ部材５８は、軽量で強度の高い材料で作製される。軽量で強度の高い材料としては、たとえば鉄、グラスファイバー、チタン等が挙げられる。
【００２４】
図２は、補助ストレッチャ１０を示す斜視図である。
【００２５】
図２に示すように、補助ストレッチャ１０の取り外し可能な第２枠部材２２ｂは、第１枠部材２１ａの一方の端部２７と、一方の端部２７に対向する第１枠部材２１ｂの他方の端部２８との間の取り外しが可能になっている。
【００２６】
取り外し可能な第２枠部材２２ｂは、基部２４が、第１枠部材２１ａの一方の端部２７に、第１枠部材２１ａの長手方向に対して突出自在且つ回動自在に支持される。
【００２７】
取り外し可能な第２枠部材２２ｂの基部２４を第１枠部材２１ａに突出自在且つ回動自在に支持する支持機構について説明する。
【００２８】
図３は、取り外し可能な第２枠部材２２ｂの基部２４を第１枠部材２１ａに突出自在且つ回動自在に支持する支持機構４５の斜視図である。
【００２９】
図４は、支持機構４５を構成するスライダ５０を説明する図である。図５は、スライダ５０が摺動する摺動溝４６を説明する図である。図６および図７は、支持機構４５の斜視図である。
【００３０】
図３に示すように、支持機構４５は、第１枠部材２１ａに設けられた摺動溝４６に挿通されるスライダ５０と、取り外し可能な第２枠部材２２ｂに設けられスライダ５０が挿通する挿通孔４８とからなる。
【００３１】
スライダ５０は、第１枠部材２１ａの内部に設けられた摺動溝４６にスライド自在且つ回動自在に挿通される。
【００３２】
図４に示すように、スライダ５０は、軸部５１と、軸部５１の一方の端部に設けられるストッパ片部５２と、軸部５１の他方の端部に設けられるスライダ頭部５３とを備える。
【００３３】
軸部５１は、第１枠部材２１ａの摺動溝４６内を挿通可能になっている。
【００３４】
ストッパ片部５２は、軸部５１の一方の端部に設けられ、軸部５１より幅広な部分を含む板状になっている。ストッパ片部５２は、スライダ５０の進行方向の横断面が長方形状になっている。
【００３５】
スライダ頭部５３は、軸部５１の他方の端部に設けられ、把持してスライダ５０をスライドまたは回動させることができるようになっている。
【００３６】
図５に示すように、第１枠部材２１ａの一方の端部２７の内部に設けられた摺動溝４６は、通路部５５と、回動室部５７と、回動室部５８とを備える空間である。
【００３７】
摺動溝４６の通路部５５は、摺動方向の横断面が長方形状に形成された空間である。通路部５５は横断面が長方形状であるため、横断面が長方形状のストッパ片部５２が軸部５１に対して所定の回動角度にあるときにのみ、図６に示すように、ストッパ片部５２が通路部５５を摺動可能になっている。
【００３８】
摺動溝４６の回動室部５６は、通路部５５の一方の端部に形成され、摺動方向の横断面が円形になる円柱状の空間である。スライダ５０のストッパ片部５２は、図３に示すように、スライダ５０が最も引き出された状態で回動室部５６内に位置するようになっている。
【００３９】
摺動溝４６の回動室部５７は、通路部５５の他方の端部に形成され、摺動方向の横断面が円形になる円柱状の空間である。スライダ５０のストッパ片部５２は、図７に示すように、スライダ５０を最も押し込んだ状態で回動室部５７内に位置するようになっている。
【００４０】
回動室部５６および回動室部５７は、摺動方向の横断面が円であるため、スライダ５０のストッパ片部５２が回動自在になっている。
【００４１】
摺動溝４６の回動室部５６は、第１枠部材２１ａの一方の端部２７の端面２９に設けられた摺動溝入口４７に連通している。
【００４２】
取り外し可能な第２枠部材２２ｂの基部２４に形成される挿通孔４８は、基部２４を貫通するように設けられる。挿通孔４８には、スライダ５０の軸部５１が挿通される。
【００４３】
取り外し可能な第２枠部材２２ｂは、先端部２５が、第１枠部材２１ｂの他方の端部２８に係止可能になっている。
【００４４】
図８は、補助ストレッチャ１０の取り外し可能な第２枠部材２２ｂの係止状態を説明する斜視図である。
【００４５】
補助ストレッチャ１０の枠部材２０を構成する第１枠部材２１ｂと取り外し可能な第２枠部材２２ｂとは、第１係止部としての留め金係止ピン４１と第２係止部としての留め金４２とで固定される。
【００４６】
第１係止部としての留め金係止ピン４１は、第１枠部材２１ｂの他方の端部２８に設けられる。
【００４７】
第２係止部としての留め金４２は、取り外し可能な第２枠部材２２ｂの先端部２５に設けられる。留め金４２は、Ｌ字状の留め金本体７５と、留め金固定ピン７７とからなる。
【００４８】
留め金本体７５は基部が留め金固定ピン７７で取り外し可能な第２枠部材２２ｂの先端部２５に固定される。留め金４２は、留め金本体７５の先端部７６が留め金係止ピン４１に係止することにより、第１枠部材２１ｂと取り外し可能な第２枠部材２２ｂとを係止する。
【００４９】
図９は、補助ストレッチャ１０の取り外し可能な第２枠部材２２ｂとブリッジ部材５８との係合部を拡大して示す斜視図である。
【００５０】
図９に示すように、ブリッジ部材５８は、取り外し可能な第２枠部材２２ｂのブリッジ部材挿入部６４内に挿入される先端部５９の表面に、取り外し可能な第２枠部材２２ｂに固定するための凹部６２が形成される。
【００５１】
補助ストレッチャ１０の枠体２０を構成する取り外し可能な第２枠部材２２ｂには、ブリッジ部材５８の先端部５９が挿入されるブリッジ部材挿入部６４が設けられる。
【００５２】
取り外し可能な第２枠部材２２ｂのブリッジ部材挿入部６４内には、突出自在な凸状のブリッジ部材係合部（図示せず）が設けられる。図示しないブリッジ部材係合部は、ブリッジ部材挿入部６４内に挿入されるブリッジ部材５８の凹部６２に噛み合って、ブリッジ部材５８を固定することができるようになっている。
【００５３】
図示しないブリッジ部材係合部は、図示しないボタン等を押すことにより、ブリッジ部材５８の凹部６２への係合、解除が自在になっている。
【００５４】
（空気マットレス）
図１に示す空気マットレス８０は、表側のマットレス表面部８１および裏側のマットレス表面部８２と、マットレス表面部８１および裏側のマットレス表面部８２の間を外部から区画するマットレス側面部８３、８４、８５、８６とからなる。
【００５５】
表側のマットレス表面部８１および裏側のマットレス表面部８２は、図示しない被検体を載置可能になっている。
【００５６】
空気マットレス８０は、Ｘ線を透過可能なシート状の材料で形成される。空気マットレス８０は、たとえばポリ塩化ビニルシート等の樹脂製シートで形成され、内部に空気の注出入可能な袋状体になっている。空気マットレス８０は、内部に空気が充填された状態で適度の弾力性を有する。
【００５７】
空気マットレス８０への空気の注入および排出は、図示しない空気の注入排出口で行われる。空気マットレス８０は、ポリ塩化ビニルシート等の樹脂製シートで作製すると、耐久性が高い。
【００５８】
空気マットレス８０は、樹脂製シートに代えて極薄紙で作製してもよい。極薄紙とは、厚さが、１ｍｍ以下の紙シートを意味する。空気マットレス８０は、極薄紙で作製すると、安価である。
【００５９】
表側のマットレス表面部８１は、コルゲート状の断面形状を有する波形状に形成される。コルゲート状とは、正弦波状であることを意味する。裏側のマットレス表面部８２は平板状に形成される。
【００６０】
表側のマットレス表面部８１は、ブリッジ部材収容部８８を有する。ブリッジ部材収容部８８は、マットレス表面部８１の全幅にわたり設けられ、対向するマットレス側面部８３、８５側にそれぞれ開口する。ブリッジ部材収容部８８は、マットレス表面部８１の波形の底部になっている。
【００６１】
ブリッジ部材収容部８８は、補助ストレッチャ１０のブリッジ部材５８を収容可能な形状、大きさ、ピッチで形成されている。ブリッジ部材収容部８８は、通常、略一定の間隔で形成される。
【００６２】
補助ストレッチャ１０のブリッジ部材５８は、空気マットレス８０のブリッジ部材収容部８８に係合可能に支持される。
【００６３】
マットレス表面部８１は、波形のピッチが１０ｃｍ〜３０ｃｍであると、患者等の被検体に圧力の分布の集中による負担をかけず、かつ、波形の底部のブリッジ部材収容部８８に補助ストレッチャ１０のブリッジ部材５８を収容しやすいため好ましい。
【００６４】
マットレス表面部８１は、波形の山高が５ｃｍ〜２０ｃｍであると、患者等の被検体に圧力の分布の集中による負担をかけず、かつ、波形の底部のブリッジ部材収容部８８に補助ストレッチャ１０のブリッジ部材５８を収容しやすいため好ましい。
【００６５】
表側のマットレス表面部８１は、コルゲート状の断面形状に代えて、断面形状が三角波状、角波状、台形波状および連続した弧状のいずれかに形成してもよい。
【００６６】
次に、図面を参照して被検体移動補助具１の作用を説明する。以下、被検体移動補助具１を用いた第１および第２の使用方法について説明する。
【００６７】
（第１の使用方法）
図１０〜図１３は、被検体移動補助具１を用いた第１の使用方法を説明する図である。
【００６８】
（医用画像診断装置の天板の上に空気マットレスを載せるステップ）
はじめに、図１０に示すように、医用画像診断装置の天板９２の上に空気マットレス８０を載せる。空気マットレス８０は、波形状に形成されたマットレス表面部８１を上にして載せ、空気を充填した状態にしておく。
【００６９】
（ストレッチャの上に補助ストレッチャと被検体を載せるステップ）
一方、図１０に示すように、ストレッチャ９１の上に補助ストレッチャ１０を載せる。さらに、この補助ストレッチャ１０の上に被検体９５を載せる。
【００７０】
（被検体を載せた補助ストレッチャを医用画像診断装置の天板上の空気マットレスの上に載せるステップ）
次に、図１１に示すように、被検体９５を載せた補助ストレッチャ１０を、医用画像診断装置の天板９２の上の空気マットレス８０の上に移動させる。補助ストレッチャ１０は、ブリッジ部材５８が空気マットレス８０のマットレス表面部８１のブリッジ部材収容部８８に収容されるように空気マットレス８０の上に載置する。
【００７１】
（補助ストレッチャを空気マットレスと被検体との間から引き抜くステップ）
さらに、図１２に示すように、補助ストレッチャ１０の取り外し可能な第２枠部材２２ｂを枠体２０から取り外してブリッジ部材５８の端部５９を露出させる。次に、補助ストレッチャ１０のブリッジ部材５８を、空気マットレス８０と被検体９５との間から図１２の矢印Ａの方向に引き抜く。
【００７２】
取り外し可能な第２枠部材２２ｂの取り外しは、図８に示す留め金係止ピン４１と留め金４２とを係止状態から解除することにより行う。
【００７３】
留め金係止ピン４１と留め金４２との係止状態の解除は、留め金４２を、留め金固定ピン７７を支点にして図８の矢印Ｐ方向に回動させることにより行う。
【００７４】
補助ストレッチャ１０のブリッジ部材５８の端部５９の露出は、以下のようにして行なう。はじめに、取り外し可能な第２枠部材２２ｂを、図７に示す状態から図７の矢印Ｑ方向に引き出して図３に示す状態にする。
【００７５】
次に、取り外し可能な第２枠部材２２ｂを図７の矢印Ｑ方向に引き出して図３に示す状態にする。取り外し可能な第２枠部材２２ｂが図３に示す状態になると、図９に示すようにブリッジ部材５８の端部５９が露出する。
【００７６】
ブリッジ部材５８の端部５９を露出させた後、さらに、取り外し可能な第２枠部材２２ｂを、基部２４に挿通されたスライダ５０の軸部５１を支点にして、図３の矢印Ｒ方向に回動させる。
【００７７】
取り外し可能な第２枠部材２２ｂを回動させることにより、補助ストレッチャ１０のブリッジ部材５８の端部５９側が開放され、補助ストレッチャ１０を図１２の矢印Ａ方向に引き抜くことが可能になる。
【００７８】
補助ストレッチャ１０を空気マットレス８０と被検体９５との間から引き抜くと、図１３に示すように、医用画像診断装置の天板９２の上に空気マットレス８０を介して被検体９５が載置される。
【００７９】
空気マットレス８０はＸ線を透過するため、被検体９５は、空気マットレス８０上に載置されたまま、図示しない医用画像診断装置で撮影可能になっている。空気マットレス８０は、医用画像診断装置での撮影等の際に、必要により空気を抜いてもよい。
【００８０】
一方、引き抜いた補助ストレッチャ１０は、図１３に示すように、たとえばストレッチャ９１の上に置く。
【００８１】
第１の使用方法は、逆の操作を行うことにより、図１３に示すように、医用画像診断装置の天板９２の上に空気マットレス８０を介して載置された被検体９５を、図１０に示すように、ストレッチャ９１の上に移動させることができる。
【００８２】
（第２の使用方法）
図１４〜図１８は、被検体移動補助具１を用いた第２の使用方法を説明する図である。
【００８３】
（ストレッチャの上に空気マットレスと被検体を載せるステップ）
はじめに、図１４に示すように、ストレッチャ９１の上に空気マットレス８０を載せる。空気マットレス８０は、波形状に形成されたマットレス表面部８１を下に、平板状に形成されたマットレス表面部８２を上にして載せる。空気マットレス８０は、空気を充填した状態にしておく。
【００８４】
次に、空気マットレス８０の平板状に形成されたマットレス表面部８２の上に、被検体９５を載せる。
【００８５】
（医用画像診断装置の天板の上に空気マットレスを載せるステップ）
一方、医用画像診断装置の天板９２の上に補助ストレッチャ１０を載せておく。
【００８６】
（補助ストレッチャを空気マットレスの下に挿入するステップ）
次に、図１５に示すように、補助ストレッチャ１０の取り外し可能な第２枠部材２２ｂを枠体２０から取り外してブリッジ部材５８の端部５９を露出させる。取り外し可能な第２枠部材２２ｂの取り外しの仕方は、第１の使用方法と同様である。
【００８７】
さらに、補助ストレッチャ１０を図１５の矢印Ｂの方向に移動させ、ブリッジ部材５８を空気マットレス８０の下に挿入する。補助ストレッチャ１０は、ブリッジ部材５８が、空気マットレス８０のマットレス表面部８１のブリッジ部材収容部８８に収容されるように挿入する。
【００８８】
（枠体から取り外した第２枠部材を第１枠部材間に再び掛け渡して補助ストレッチャを構成するステップ）
さらに、図１６に示すように、枠体２０から取り外した取り外し可能な第２枠部材２２ｂを第１枠部材２１ａ、２１ｂ間に再び掛け渡し、固定して、補助ストレッチャ１０を構成する。取り外し可能な第２枠部材２２ｂの固定方法は、第１の使用方法における、留め金係止ピン４１と留め金４２との係止状態の解除の逆の操作を行う。
【００８９】
（補助ストレッチャの上に空気マットレスを載せた後、補助ストレッチャを医用画像診断装置の天板の上に移動させるステップ）
次に、補助ストレッチャ１０を人力、電気、油圧、水圧、空気圧等で持ち上げる等により、補助ストレッチャ１０の上に空気マットレス８０および被検体９５を載せて、ストレッチャ９１の上から医用画像診断装置の天板９２の上に移動させる。補助ストレッチャ１０、空気マットレス８０および被検体９５の移動が終了すると、図１７に示す状態になる。
【００９０】
（補助ストレッチャを空気マットレスの下から引き抜くステップ）
さらに、補助ストレッチャ１０の取り外し可能な第２枠部材２２ｂを枠体２０から取り外してブリッジ部材５８の端部を露出させた後、補助ストレッチャ１０のブリッジ部材５８を空気マットレス８０の下から引き抜く。取り外し可能な第２枠部材２２ｂの取り外しの仕方は、第１の使用方法と同様である。
【００９１】
補助ストレッチャ１０を空気マットレス８０の下から引き抜くと、図１８に示すように、医用画像診断装置の天板９２の上に空気マットレス８０を介して被検体９５が載置される。
【００９２】
空気マットレス８０はＸ線を透過するため、被検体９５は、空気マットレス８０上に載置されたまま、図示しない医用画像診断装置で撮影可能になっている。空気マットレス８０は、医用画像診断装置での撮影等の際に、必要により空気を抜いてもよい。
【００９３】
一方、引き抜いた補助ストレッチャ１０は、図１８に示すように、たとえばストレッチャ９１の上に置く。
【００９４】
第２の使用方法は、逆の操作を行うことにより、図１８に示すように、医用画像診断装置の天板９２の上に空気マットレス８０を介して載置された被検体９５を、図１４に示すように、ストレッチャ９１の上に移動させることができる。
【００９５】
被検体移動補助具１によれば、被検体を、ストレッチャから医用画像診断装置の天板の上に移動させることが容易である。
【００９６】
補助ストレッチャ１０のブリッジ部材５８は、円柱状の棒状体に代えて、多角柱状、半円柱状、楕円柱状および長円柱状のいずれかの棒状体を用いてもよい。多角柱状としては、たとえば、三角柱状、四角柱状および台形柱状が挙げられる。
【００９７】
ブリッジ部材５８として、半円柱状や、三角柱状、四角柱状および台形柱状等の棒状体を用いる場合は、被検体が載せられる側に棒状体の角がないように配置すると、被検体に過度の圧力を与えないため好ましい。
【００９８】
ブリッジ部材５８は、一対の第２枠部材２２ａ、２２ｂ間に掛け渡して補助ストレッチャを構成することができる形状であればよく、棒状体を複数本用いることに代えて、一枚または複数枚の板状体とすることができる。
【００９９】
補助ストレッチャ１０は、枠体２０を構成する第２枠部材２２ｂのみが取り外し可能な第２枠部材になっているが、第２枠部材２２ａおよび２２ｂの両方が取り外し可能な第２枠部材であってもよい。
【０１００】
第２枠部材２２ａおよび２２ｂの両方が取り外し可能な第２枠部材である場合は、取り外し可能な第２枠部材の取り外しの自由度が高くなるため好ましい。すなわち、補助ストレッチャ１０の空気マットレス８０の下または挿通孔への挿入を空気マットレス８０の対向するマットレス側面部のいずれ側からも行うことができるため、被検体９５の移動作業が容易になる。
【０１０１】
［第２の実施形態］
次に、被検体移動補助具の第２実施形態１Ａにつき図面を参照して説明する。図１９は、被検体移動補助具１Ａを示す斜視図である。
【０１０２】
第２実施形態に示された被検体移動補助具１Ａは、第１実施形態に示された被検体移動補助具１を構成する空気マットレス８０に代えて空気マットレス８０Ａを用いたものであり、補助ストレッチャ１０は被検体移動補助具１と同じである。このため、被検体移動補助具１Ａと被検体移動補助具１との同一構成に同一符号を用い、構成および作用の説明を簡略化または省略する。
【０１０３】
（空気マットレス）
図１９に示す空気マットレス８０Ａは、表側のマットレス表面部８１Ａおよび裏側のマットレス表面部８２Ａと、マットレス表面部８１Ａおよび裏側のマットレス表面部８２Ａの間を外部から区画するマットレス側面部８３Ａ、８４Ａ、８５Ａ、８６Ａとからなる。
【０１０４】
表側のマットレス表面部８１Ａおよび裏側のマットレス表面部８２Ａは、図示しない被検体を載置可能になっている。
【０１０５】
空気マットレス８０Ａは、空気マットレス８０と同様に、Ｘ線を透過可能なシート状の材料で形成され、内部に空気の注出入可能な袋状体になっている。空気マットレス８０Ａは、内部に空気が充填された状態で適度の弾力性を有する。
【０１０６】
空気マットレス８０Ａへの空気の注入および排出は、図示しない空気の注入排出口で行われる。
【０１０７】
空気マットレス８０Ａは、空気マットレス８０と同様に、ポリ塩化ビニルシート等の樹脂製シートや極薄紙で作製される。
【０１０８】
表側のマットレス表面部８１Ａおよび裏側のマットレス表面部８２Ａは、平板状に形成される。
【０１０９】
空気マットレス８０Ａは、対向するマットレス側面部８３Ａ、８５Ａ間を貫通する挿通孔８９を有する。挿通孔８９は、補助ストレッチャ１０のブリッジ部材５８を挿入可能な形状、大きさ、ピッチで形成されている。挿通孔８９は、通常、略一定の間隔で形成される。
【０１１０】
補助ストレッチャ１０のブリッジ部材５８は、空気マットレス８０Ａの挿通孔８９に挿入可能に着脱支持される。
【０１１１】
次に、図面を参照して被検体移動補助具１Ａの作用を説明する。以下、被検体移動補助具１Ａを用いた第３の使用方法について説明する。
【０１１２】
図２０〜図２４は、被検体移動補助具１Ａを用いた第３の使用方法を説明する図である。
【０１１３】
（ストレッチャの上に空気マットレスと被検体を載せるステップ）
はじめに、図２０に示すように、ストレッチャ９１の上に空気マットレス８０Ａを載せる。空気マットレス８０Ａは、空気を充填した状態にしておく。
【０１１４】
次に、空気マットレス８０Ａのマットレス表面部８２Ａの上に、被検体９５を載せる。
【０１１５】
（医用画像診断装置の天板の上に空気マットレスを載せるステップ）
一方、医用画像診断装置の天板９２の上に補助ストレッチャ１０を載せておく。
【０１１６】
（補助ストレッチャのブリッジ部材を空気マットレスの挿通孔に挿入するステップ）
次に、図２１に示すように、補助ストレッチャ１０の取り外し可能な第２枠部材２２ｂを枠体２０から取り外してブリッジ部材５８の端部５９を露出させる。取り外し可能な第２枠部材２２ｂの取り外しの仕方は、第１の使用方法と同様である。
【０１１７】
さらに、補助ストレッチャ１０を図２１の矢印Ｃの方向に移動させ、ブリッジ部材５８を空気マットレス８０Ａの挿通孔８９に挿入する。補助ストレッチャ１０は、ブリッジ部材５８が、空気マットレス８０Ａの挿通孔８９に収容されるように挿入する。
【０１１８】
（枠体から取り外した第２枠部材を第１枠部材間に再び掛け渡して補助ストレッチャを構成するステップ）
さらに、図２２に示すように、枠体２０から取り外した取り外し可能な第２枠部材２２ｂを第１枠部材２１ａ、２１ｂ間に再び掛け渡し、固定して、補助ストレッチャ１０を構成する。取り外し可能な第２枠部材２２ｂの固定方法は、第１の使用方法における、留め金係止ピン４１と留め金４２との係止状態の解除の逆の操作を行う。
【０１１９】
（補助ストレッチャを空気マットレスおよび被検体とともに医用画像診断装置の天板の上に移動させるステップ）
次に、補助ストレッチャ１０を人力で持ち上げる等により、補助ストレッチャ１０ともに空気マットレス８０Ａおよび被検体９５を、ストレッチャ９１の上から医用画像診断装置の天板９２の上に移動させる。補助ストレッチャ１０、空気マットレス８０Ａおよび被検体９５の移動が終了すると、図２３に示す状態になる。
【０１２０】
（補助ストレッチャのブリッジ部材を空気マットレスの挿通孔から引き抜くステップ）
さらに、補助ストレッチャ１０の取り外し可能な第２枠部材２２ｂを枠体２０から取り外してブリッジ部材５８の端部を露出させた後、補助ストレッチャ１０のブリッジ部材５８を空気マットレス８０Ａの挿通孔８９から引き抜く。取り外し可能な第２枠部材２２ｂの取り外しの仕方は、第１の使用方法と同様である。
【０１２１】
補助ストレッチャ１０のブリッジ部材５８を空気マットレス８０Ａの挿通孔８９から引き抜くと、図２４に示すように、医用画像診断装置の天板９２の上に空気マットレス８０Ａを介して被検体９５が載置される。
【０１２２】
空気マットレス８０ＡはＸ線を透過するため、被検体９５は、空気マットレス８０Ａ上に載置されたまま、図示しない医用画像診断装置で撮影可能になっている。空気マットレス８０Ａは、医用画像診断装置での撮影等の際に、必要により空気を抜いてもよい。
【０１２３】
一方、引き抜いた補助ストレッチャ１０は、図２４に示すように、たとえばストレッチャ９１の上に置く。
【０１２４】
第３の使用方法は、逆の操作を行うことにより、図２４に示すように、医用画像診断装置の天板９２の上に空気マットレス８０を介して載置された被検体９５を、図２０に示すように、ストレッチャ９１の上に移動させることができる。
【０１２５】
被検体移動補助具１Ａによれば、被検体移動補助具１の有する効果に加え、補助ストレッチャ１０のブリッジ部材５８が空気マットレス８０Ａの挿通孔８９に挿入されることにより補助ストレッチャ１０と空気マットレス８０Ａとの係合が確実であるため、被検体を、ストレッチャから医用画像診断装置の天板の上により安全に移動させることができる。
【０１２６】
［第３の実施形態］
次に、被検体移動補助具の第３実施形態１Ｂにつき図面を参照して説明する。図２５は、被検体移動補助具１Ｂを示す斜視図である。図２６は、被検体移動補助具１Ｂを構成する補助ストレッチャ１０Ｂの枠体２０Ｂの係止状態を説明する斜視図である。
【０１２７】
第３実施形態に示された被検体移動補助具１Ｂは、第１実施形態に示された被検体移動補助具１を構成する補助ストレッチャ１０に代えて補助ストレッチャ１０Ｂを用いたものであり、空気マットレス８０は被検体移動補助具１と同じである。このため、被検体移動補助具１Ｂと被検体移動補助具１との同一構成に同一符号を用い、構成および作用の説明を簡略化または省略する。
【０１２８】
（補助ストレッチャ）
補助ストレッチャ１０Ｂは、第１実施形態に示された被検体移動補助具１を構成する補助ストレッチャ１０に対し、補助ストレッチャ１０の枠体２０が枠体２０Ｂになった点でのみ異なる。このため、補助ストレッチャ１０Ｂと補助ストレッチャ１０との同一構成に同一符号を用い、構成および作用の説明を簡略化または省略する。
【０１２９】
図２５に示すように、補助ストレッチャ１０Ｂは、矩形状の枠体２０Ｂと、枠体２０Ｂに掛け渡されたブリッジ部材５８とを含むベッド部６０Ｂを備える。
【０１３０】
枠体２０Ｂは、対向配置された一対の第１枠部材２１ａ、２１ｂと、第１枠部材２１ａ、２１ｂ間に掛け渡され対向配置された一対の第２枠部材２２ａ、２２ｃとからなる。
【０１３１】
枠体２０Ｂは、一対の第２枠部材２２ａ、２２ｃのうち、第２枠部材２２ｃが、第１の枠構成部材３１および第２の枠構成部材３２の二つの構成部材からなるとともに、第１枠部材２１ａ、２１ｂ間の取り外しが可能な第２枠部材になっている。
【０１３２】
取り外し可能な第２枠部材２２ｃは、第１の枠構成部材３１および第２の枠構成部材３２の二つの構成部材からなる。
【０１３３】
第１の枠構成部材３１は、基部３３が、第１枠部材２１ａの一方の端部２７に第１枠部材２１ａの長手方向に対して突出自在且つ回動自在に支持される。第１の枠構成部材３１を突出自在且つ回動自在に支持する図示しない支持機構は、図３に示す支持機構４５と同様であるため説明を省略する。
【０１３４】
第１の枠構成部材３１は、先端部３５に第３係止部としての留め金４３が設けられ、第２の枠構成部材３２の先端部３６と係止可能になっている。留め金４３は、Ｌ字状の留め金本体７５と、留め金固定ピン７７とからなる。
【０１３５】
第２の枠構成部材３２は、基部３４が、第１枠部材２１ａの一方の端部２７に対向する第１枠部材２１ｂの他方の端部２８に、第１枠部材２１ａの長手方向に対して突出自在且つ回動自在に支持される。第２の枠構成部材３２を突出自在且つ回動自在に支持する図示しない支持機構は、図３に示す支持機構４５と同様であるため説明を省略する。
【０１３６】
第２の枠構成部材３２は、先端部３６に第４係止部としての留め金係止ピン４４が設けられ、第１の枠構成部材３１の先端部３５と係止可能になっている
第１の枠構成部材３１と第２の枠構成部材３２とは、第３係止部としての留め金４３と第４係止部としての留め金係止ピン４４とでの先端部３５、３６同士が固定される。
【０１３７】
第１の枠構成部材３１と第２の枠構成部材３２とは、先端部３５、３６同士が固定され一体化することにより、一部材の第２枠部材２２ｃとなる。
【０１３８】
図２７は、補助ストレッチャ１０Ｂを示す斜視図である。
【０１３９】
図２７に示すように、第１の枠構成部材３１および第２の枠構成部材３２は、先端部３５、３６同士の係止を解除することにより、第１枠部材２１ａの一方の端部２７と、一方の端部２７に対向する第１枠部材２１ｂの他方の端部２８との間の取り外しが可能になっている。
【０１４０】
第１の枠構成部材３１および第２の枠構成部材３２には、補助ストレッチャ１０と同様に、ブリッジ部材５８の先端部５９が挿入されるブリッジ部材収容部（図示せず）およびブリッジ部材係合部（図示せず）が設けられる。
【０１４１】
被検体移動補助具１Ｂの作用は、被検体移動補助具１における取り外し可能な第２枠部材２２ｂの取り外しを、第１の枠構成部材３１および第２の枠構成部材３２からなる取り外し可能な第２枠部材２２ｃの取り外しにすることと同様であるため、説明を省略する。
【０１４２】
被検体移動補助具１Ｂによれば、被検体移動補助具１の有する効果に加え、取り外し可能な第２枠部材が第１の枠構成部材３１および第２の枠構成部材３２の二部材からなるため、取り外し可能な第２枠部材２２ｃの掛け渡しおよび取り外しが容易である。
【０１４３】
なお、補助ストレッチャ１０Ｂは、枠体２０Ｂを構成する第２枠部材２２ｃのみが取り外し可能な第２枠部材であるが、第２枠部材２２ａも第２枠部材２２ｃと同様の二部材からなる取り外し可能な第２枠部材であってもよい。
【０１４４】
第２枠部材２２ａおよび２２ｃの両方が取り外し可能な第２枠部材である場合は、取り外し可能な第２枠部材の取り外しの自由度が高くなるため好ましい。すなわち、補助ストレッチャ１０Ｂの空気マットレス８０の下または挿通孔への挿入を空気マットレス８０の対向するマットレス側面部のいずれ側からも行うことができるため、被検体９５の移動作業が容易になる。
【０１４５】
また、補助ストレッチャ１０Ｂは、第２枠部材２２ａを補助ストレッチャ１０の第２枠部材２２ｂと同様の取り外し可能な第２枠部材にしてもよい。取り外し可能な第２枠部材として、第１の枠構成部材３１および第２の枠構成部材３２の二部材からなる第２枠部材２２ｃと、一部材からなる第２枠部材２２ｂとを備えることにより、取り外し可能な第２枠部材の取り外しの方法を適宜選択することができるようになる。
【０１４６】
さらに、補助ストレッチャ１０Ｂは、空気マットレス８０に代えて、被検体移動補助具の第２実施形態１Ａを構成する空気マットレス８０Ａを用いてもよい。
【０１４７】
補助ストレッチャ１０Ｂに空気マットレス８０Ａを用いると、補助ストレッチャ１０Ｂと空気マットレス８０Ａとの係合が確実であるため、被検体を、ストレッチャから医用画像診断装置の天板の上により安全に移動させることができる。
【０１４８】
［第４の実施形態］
次に、本発明に係る被検体移動補助具の第４実施形態１Ｃにつき図面を参照して説明する。図２８は、被検体移動補助具１Ｃを示す斜視図である。図２９は、被検体移動補助具１Ｃに用いられる昇降支持部および移動機構部を示す斜視図である。
【０１４９】
第４実施形態に示された被検体移動補助具１Ｃは、第１実施形態に示された被検体移動補助具１を構成する補助ストレッチャ１０に代えて補助ストレッチャ１０Ｃを用いたものであり、空気マットレス８０は被検体移動補助具１と同じである。このため、被検体移動補助具１Ｃと被検体移動補助具１との同一構成に同一符号を用い、構成および作用の説明を簡略化または省略する。
【０１５０】
（補助ストレッチャ）
図２８に示すように、補助ストレッチャ１０Ｃは、第１実施形態に示された被検体移動補助具１を構成する補助ストレッチャ１０に、ベッド部６０を昇降自在に支持する昇降支持部６５と、ベッド部６０および昇降支持部６５を水平方向に移動させる移動機構部７０とをさらに備えたものである。
【０１５１】
昇降支持部６５としては、図２９に示すような、パンタグラフジャッキ６５を用いることができる。
【０１５２】
パンタグラフジャッキ６５は、昇降自在なパンタグラフジャッキ本体６６と、ベッド部６０の枠体２０の第１枠部材２１ａ、２１ｂの下面に取り付けられる天板６７と、移動機構部７０に取り付けられる底板６８とを備える。昇降支持部６５に用いられるパンタグラフジャッキは、図２９に示すものに特に限定されず、公知のパンタグラフジャッキを用いることができる。
【０１５３】
パンタグラフジャッキ６５の駆動は、人力、電気、油圧、水圧、空気圧等で行う。
【０１５４】
移動機構部７０としては、図２９に示すような、クローラ７０を用いることができる。クローラ７０は、フレーム７１と、フレーム７１に回動自在に支持されるローラ７２と、ローラ７２と噛み合うベルト７３とを備える。
【０１５５】
クローラ７０は、ローラ７２がバネ等の弾性体を介してフレーム７１に支持されていると被検体に衝撃を与えにくいため好ましい。
【０１５６】
図２８に示すように、パンタグラフジャッキ６５は、底板６８が、並列した２個のクローラ７０、７０間に配置されるとともに、クローラ７０、７０のフレーム７１、７１に取り付けられる。補助ストレッチャ１０Ｃは、クローラ７０、７０により、ベッド部６０を水平方向に移動させることができる。
【０１５７】
図２８に示すように、パンタグラフジャッキ６５は、天板６７で、第１枠部材２１ａ、２１ｂの下面に取り付けられる。パンタグラフジャッキ６５は、底板６８に取り付けられたクローラ７０が、第１枠部材２１ａ、２１ｂの長手方向に移動可能なように取り付けられる。
【０１５８】
被検体移動補助具１Ｃによれば、被検体移動補助具１の有する効果に加え、ベッド部６０の昇降および水平方向の移動が容易であるため好ましい。
【０１５９】
補助ストレッチャ１０Ｃは、昇降支持部６５として、パンタグラフジャッキ６５に代えて、公知のスクリュージャッキを用いてもよい。
【０１６０】
補助ストレッチャ１０Ｃは、移動機構部７０として、クローラに代えて、公知のキャスターやタイヤを用いてもよい。
【０１６１】
また、昇降支持部６５および移動機構部７０は、被検体移動補助具１Ｂを構成する補助ストレッチャ１０Ｂに設けてもよい。
【０１６２】
補助ストレッチャ１０Ｂに昇降支持部６５および移動機構部７０を設けた補助ストレッチャの作用効果は、昇降支持部６５および移動機構部７０の作用が補助ストレッチャ１０Ｃと同様であるため、説明を省略する。
【図面の簡単な説明】
【０１６３】
【図１】本発明に係る被検体移動補助具の第１実施形態を示す斜視図。
【図２】本発明に係る被検体移動補助具の第１実施形態を構成する補助ストレッチャを示す斜視図。
【図３】補助ストレッチャの枠体の支持機構を説明する斜視図。
【図４】支持機構を構成するスライダを説明する図。
【図５】スライダが摺動する摺動溝を説明する図。
【図６】補助ストレッチャの枠体の支持機構を説明する斜視図。
【図７】補助ストレッチャの枠体の支持機構を説明する斜視図。
【図８】補助ストレッチャの取り外し可能な第２枠部材の係止状態を説明する斜視図。
【図９】取り外し可能な第２枠部材とブリッジ部材との係合部を拡大して示す斜視図。
【図１０】本発明に係る被検体移動補助具の第１実施形態の第１の使用方法を説明する図。
【図１１】本発明に係る被検体移動補助具の第１実施形態の第１の使用方法を説明する図。
【図１２】本発明に係る被検体移動補助具の第１実施形態の第１の使用方法を説明する図。
【図１３】本発明に係る被検体移動補助具の第１実施形態の第１の使用方法を説明する図。
【図１４】本発明に係る被検体移動補助具の第１実施形態の第２の使用方法を説明する図。
【図１５】本発明に係る被検体移動補助具の第１実施形態の第２の使用方法を説明する図。
【図１６】本発明に係る被検体移動補助具の第１実施形態の第２の使用方法を説明する図。
【図１７】本発明に係る被検体移動補助具の第１実施形態の第２の使用方法を説明する図。
【図１８】本発明に係る被検体移動補助具の第１実施形態の第２の使用方法を説明する図。
【図１９】本発明に係る被検体移動補助具の第２実施形態を示す斜視図。
【図２０】本発明に係る被検体移動補助具の第２実施形態の使用方法を説明する図。
【図２１】本発明に係る被検体移動補助具の第２実施形態の使用方法を説明する図。
【図２２】本発明に係る被検体移動補助具の第２実施形態の使用方法を説明する図。
【図２３】本発明に係る被検体移動補助具の第２実施形態の使用方法を説明する図。
【図２４】本発明に係る被検体移動補助具の第２実施形態の使用方法を説明する図。
【図２５】本発明に係る被検体移動補助具の第３実施形態を示す斜視図。
【図２６】補助ストレッチャの枠体の係止状態を説明する斜視図。
【図２７】本発明に係る被検体移動補助具の第３実施形態に用いられる補助ストレッチャを示す斜視図。
【図２８】本発明に係る被検体移動補助具の第４実施形態を示す斜視図。
【図２９】昇降支持部および移動機構部を示す斜視図。
【符号の説明】
【０１６４】
１、１Ａ、１Ｂ、１Ｃ  被検体移動補助具
１０、１０Ｂ、１０Ｃ  補助ストレッチャ
２０、２１Ｂ  枠体
２１、２１ａ、２１ｂ  第１枠部材
２２、２２ａ、２２ｂ、２２ｃ  第２枠部材
２４  取り外し可能な第２枠部材の基部
２５  取り外し可能な第２枠部材の先端部
２６  第１枠部材の端部
２７  第１枠部材の一方の端部
２８  第１枠部材の他方の端部
２９  第１枠部材の一方の端部の端面
３１  第１の枠構成部材
３２  第２の枠構成部材
３３  第１の枠構成部材の基部
３４  第２の枠構成部材の基部
３５  第１の枠構成部材の先端部
３６  第２の枠構成部材の先端部
４１  留め金係止ピン（第１係止部）
４２  留め金（第２係止部）
４３  留め金（第３係止部）
４４  留め金係止ピン（第４係止部）
４５  支持機構
４６  摺動溝
４７  摺動溝入口
４８  挿通孔
５０  スライダ
５１  軸部
５２  ストッパ片部
５３  スライダ頭部
５５  通路部
５６、５７  回動室部
５８  ブリッジ部材
５９  ブリッジ部材の端部
６０  ベッド部
６２  ブリッジ部材の凹部
６３  取り外し可能な第２枠部材のブリッジ部材側の面
６４  取り外し可能な第２枠部材のブリッジ部材挿入部
６５  パンタグラフジャッキ（昇降支持部）
６６  パンタグラフジャッキ本体
６７  パンタグラフジャッキの天板
６８  パンタグラフジャッキの底板
７０  クローラ（移動機構部）
７１  クローラのフレーム
７２  クローラのローラ
７３  クローラのベルト
７５  留め金本体
７６  留め金先端部
７７  留め金固定ピン
７８  回動室部の壁面
７９  回動室部の壁面
８０、８０Ａ  空気マットレス
８１、８１Ａ  表側のマットレス表面部
８２、８２Ａ  裏側のマットレス表面部
８３、８４、８５、８６  マットレス側面部
８８  ブリッジ部材収容部
８９  挿通孔
９１  ストレッチャ
９２  医用画像診断装置の天板
９５  被検体
【図１】
2008237503.tif 000003
【図２】
2008237503.tif 000004
【図３】
2008237503.tif 000005
【図４】
2008237503.tif 000006
【図５】
2008237503.tif 000007
【図６】
2008237503.tif 000008
【図７】
2008237503.tif 000009
【図８】
2008237503.tif 000010
【図９】
2008237503.tif 000011
【図１０】
2008237503.tif 000012
【図１１】
2008237503.tif 000013
【図１２】
2008237503.tif 000014
【図１３】
2008237503.tif 000015
【図１４】
2008237503.tif 000016
【図１５】
2008237503.tif 000017
【図１６】
2008237503.tif 000018
【図１７】
2008237503.tif 000019
【図１８】
2008237503.tif 000020
【図１９】
2008237503.tif 000021
【図２０】
2008237503.tif 000022
【図２１】
2008237503.tif 000023
【図２２】
2008237503.tif 000024
【図２３】
2008237503.tif 000025
【図２４】
2008237503.tif 000026
【図２５】
2008237503.tif 000027
【図２６】
2008237503.tif 000028
【図２７】
2008237503.tif 000029
【図２８】
2008237503.tif 000030
【図２９】
2008237503.tif 000031